(57)【特許請求の範囲】
【請求項１】
支持基部を、遊技機枠の一側に水平回動自在に設けて、この支持基部に挿着された遊技盤を回動して遊技機枠に嵌め込むようにした遊技盤の支持構造であって、
支持基部には、発射レールと外レールとを配設するとともに、遊技盤の差込み溝を上下に対向して設けたうえに、
遊技機枠の内側には遊技盤の嵌込み凹部を設けて、遊技機枠の下辺内側には前半部分が後方に向けて高く傾斜し、後半部分は平坦に形成された突条を設けるとともに、
遊技機枠のコーナー部には、遊技盤を裏面から前方に押し付ける押圧部材とこの押圧部材とで遊技盤を挟み付ける回動部材とからなる、クランプ部材を配設したことを特徴とする遊技盤の支持構造。
【請求項２】
支持基部の差込み溝に、遊技盤の厚みの寸法変動を吸収するための遊び空間を持たせたことを特徴とする請求項１に記載の遊技盤の支持構造。
【請求項３】
支持基部は、側板を有し、この側板に遊技盤端部が当接される位置決め用の突部を設けたことを特徴とする請求項１に記載の遊技盤の支持構造。
【発明の詳細な説明】
【技術分野】
【０００１】
本発明は、弾球遊技機の遊技盤を交換する際における遊技盤の支持構造に関するものである。
【背景技術】
【０００２】
パチンコ機即ち弾球遊技機として、特許文献１に示すような遊技盤を保持部（支持基部）に差込み式で遊技機枠に装着するようにしたものが知られている。このものにおいては、遊技盤を保持するための支持基部が取付けベース（遊技機枠）の一側に回動自在に設けられている。遊技盤の一端を遊技機枠の前面から支持基部に挿入した後、遊技盤を遊技機枠の前面に形成された収容凹部に嵌め込んだうえ、一対のストッパー部材を回動させる。以上のようにして遊技盤を遊技機枠に固定することができる。
【０００３】
しかしながら、上記開示に係るものにおいては、球発射装置における発射レール（一次レール）が遊技機枠側に配設され、遊技盤には外レール（二次レール）が配設されているために、遊技盤挿着後にレール同士の中心位置がずれやすく弾球軌道が安定しないという問題がある。
【０００４】
また、支持基部の受け口の幅（厚み）が遊技盤の厚みと同等であるので、遊技盤の曲がりを吸収することができない。受け口の縦方向の長さが遊技盤の縦方向の長さと等しいので、遊技盤の差込みの際における摩擦抵抗が大きく、このため遊技盤の着脱がし難い。遊技盤を受け口に挿入した際に遊技盤の差込み深さが定められていないので、遊技盤の横方向の位置がばらつきやすい。遊技盤を収容凹部に嵌め込んだ際に上下方向の位置決めがなされていないために、遊技盤の上下方向の位置がずれやすい。さらに、ストッパー部材は、遊技盤の厚み変動を吸収する機構を備えていないので、遊技盤締め付け後にがたつきが生じやすいという多くの問題を有している。
【先行技術文献】
【特許文献】
【０００５】
【特許文献１】特開２００１−３２７７１７号公報      （図３）
【発明の概要】
【発明が解決しようとする課題】
【０００６】
本発明は、上記した従来の問題点に鑑み、遊技盤交換後においても発射レールと外レールとの中心位置がずれることがなく、且つ遊技盤を正しく位置決めして固定することができる遊技盤の支持構造を提供することを課題とする。
【課題を解決するための手段】
【０００７】
上記の課題を解決するためになされた本発明に係る遊技盤の支持構造は、支持基部を、遊技機枠の一側に水平回動自在に設けて、この支持基部に挿着された遊技盤を回動して遊技機枠に嵌め込むようにした遊技盤の支持構造であって、
支持基部には、発射レールと外レールとを配設するとともに、遊技盤の差込み溝を上下に対向して設けたうえに、
遊技機枠の内側には遊技盤の嵌込み凹部を設けて、遊技機枠の下辺内側には前半部分が後方に向けて高く傾斜し、後半部分は平坦に形成された突条を設けるとともに、
遊技機枠のコーナー部には、遊技盤を裏面から前方に押し付ける押圧部材とこの押圧部材とで遊技盤を挟み付ける回動部材とからなる、クランプ部材を配設したことを特徴とするものである。
【０００８】
上記した発明において、支持基部の差込み溝に、遊技盤の厚みの寸法変動を吸収するための遊び空間を持たせるのが望ましく、支持基部は、遊技盤端部が当接される側板を有し、この側板に位置決め用の突部を設けるのが望ましい。
【発明の効果】
【０００９】
請求項１に係る発明は、発射レールと外レールとが位置決めされて一つの平面に固定されているので、レール同士の中心位置がずれることはなく、弾球軌道が安定する。さらに、遊技盤の差込み溝を上下に対向して配置して短尺なものにしたので、遊技盤の端部全体を受け入れる場合と比較して遊技盤の差込み抵抗を小さくすることができる。遊技機枠の下辺に設けた突条により遊技盤の下端の位置を決定して上下方向の位置を正しく位置決めすることができる。さらに、遊技機枠に嵌め込まれた遊技盤をクランプ部材で確実に締め付け固定することができる。
【００１０】
請求項２に係る発明は、遊び空間が遊技盤着脱時の摩擦抵抗を低減できるし、また、遊技盤の厚み変動を吸収して挿着を容易とする。
【００１１】
請求項３に係る発明は、突部で遊技盤の横方向の位置を位置決めすることができる。
【図面の簡単な説明】
【００１２】
【図１】本発明の弾球遊技機の開放状態を示す斜視図である。
【図２】支持基部が装着された遊技機枠の斜視図である。
【図３】支持基部の前面側の斜視図である。
【図４】支持基部の背面側の斜視図である。
【図５】発射装置が配設された支持基部の斜視図である。
【図６】発射レールと外レールが配設された支持基部の斜視図である。
【図７】遊技盤の前面側の斜視図である。
【図８】遊技盤の背面側の斜視図である。
【図９】遊技盤の装着途中を示す弾球遊技機の斜視図である。
【図１０】遊技盤が装着された弾球遊技機の斜視図である。
【図１１】クランプ部材の配置を示す遊技機枠の正面図である。
【図１２】開放状態のクランプ部材の斜視図である。
【図１３】押圧部材の断面構造を示す斜視図である。
【図１４】閉止状態のクランプ部材の斜視図である。
【図１５】閉止状態のクランプ部材の背面斜視図である。
【発明を実施するための形態】
【００１３】
以下に、本発明の実施形態について説明する。
図１は、本発明の弾球遊技機が開放された状態を示す斜視図であって、ガラス窓１１を有する前面枠１と、縦長の矩形状に形成された外枠２と、外枠２の内側に開閉可能に取り付けられた遊技機枠３とで構成される。遊技機枠３の内側には、支持基部４が水平回動自在に軸着され、この支持基部４に遊技盤５が側方から差し込まれて片持ちで保持されている。以下、前面枠１側を前方、遊技機枠３側を後方とし、左右および上下は、弾球遊技機を前方から見た状態を基準として説明する。
【００１４】
図２は、支持基部４が配設された遊技機枠３を示す図であって、遊技機枠３には、遊技盤５装着用の窓部３１が設けられ、遊技機枠３の内側の上辺及び右下には、段差３２をもって嵌込み凹部３３が形成されている。嵌込み凹部３３には、遊技盤５の上端及び右端が嵌め込まれる。また、遊技機枠３の下辺３４の内側には、突条３５が複数本形成されている。突条３５は、前半部分が後方に向けて高く傾斜し、後半部分は平坦に形成されており、窓部３１に嵌め込まれた遊技盤５を上方に押し上げて遊技盤５の下端を位置決めする事で、がたつくことなく保持する構造となっている。
【００１５】
図３、４は、支持基部４の詳細を示す図であって、支持基部４は、金属板で形成された前面４１と、その上下端に後方に向ってコの字状などに折り曲げて形成された差込み溝４２とを有する。差込み溝４２の入口には、遊技盤５の差込みを容易とするために入口から外側に向って斜めに折り曲げられて形成されたガイド板４５が設けられている。差込み溝４２には、遊技盤５の上端及び下端が差し込まれるだけであるので、遊技盤の端部全体を差し込む従来のものに比較して着脱時の摩擦抵抗を小さくできるので、遊技盤５の取り替えを容易に行うことができる。
【００１６】
前面４１の右側一端には、円形状の遊技領域に対応して湾曲部４４が形成されている。支持基部４の下部には、球発射装置６固定用のねじ４９が４本設けられている。また、支持基部４は左側部の側板４３を有し、側板４３には少なくとも二箇所に突部４６が形成されている。突部４６に遊技盤５の端部が当接することによって、遊技盤５の左右方向の位置が位置決めされる。
【００１７】
差込み溝４２の左右方向の長さは、遊技盤５の曲がりによる脱着不良に対応するため遊技盤５の左右方向の長さに比べてできるだけ短いものとしてある。差込み溝４２の長さは遊技盤５を片持ちで保持できる長さとすればよい。さらに、差込み溝４２の前後方向の長さは、遊技盤５の厚みの変動に対応するために若干の遊び空間が生ずるように遊技盤５の厚みよりも１ｍｍ程度厚くしてある。これにより、厚みが若干厚くなったときにも支障なく遊技盤５を挿着することができる。
【００１８】
また、前面４１の左端部には、上方と下方にヒンジ部４７が設けられ、これらのヒンジ部４７が遊技機枠３の内側に装着されて、支持基部４は水平回動することができる。
【００１９】
支持基部４の前面４１には、図５に示すように、発射装置６と長手方向に徐々に曲率半径の小さくなる円弧形状に曲成された外レール７とが設けられている。発射装置６は、弾球されたが後述する遊技領域５１に到達せずにファール球となった球を回収するためのファール球回収口６３が形成されたケーシング６４を有し、このケーシング６４の内部に、発射レール６１と、発射レール６１上の球を弾球するプランジャ型ソレノイド即ち弾球器６２とが配設されている（図６）。外レール７はステンレスまたはスーパーエンジニアリングプラステックで形成されており、断面が円弧形状になっている。発射レール６１が固定された発射装置６と外レール７とは、同一平面である前面４１の所要位置に固定されているので、遊技盤５の交換に際しても、弾球軌道の中心位置がずれることはない。なお、弾球器６２として、直動式の槌に変わって回動式の槌を用いることができる。
【００２０】
遊技盤５は、図７に示すように、全体形状角形で内レール８に囲まれて遊技領域５１が形成されている。遊技盤５は、上端５２、下端５３を有し、それぞれの端部に上縁コーナー５４、下縁コーナー５５が切り込まれて形成されている。上縁コーナー５４、下縁コーナー５５をガイド板４５によって案内させながら差込み溝４２に右側から挿通することによって、遊技盤５を支持基部４に取り付けることができる（図９、１０）。このとき、湾曲部４４は内レール８と同一形状に形成されており、内レール８と外レール７との間には、発射球の通路が形成される。内レール８の終端には、遊技領域５１から発射球の通路に球が戻ることを防止するための戻り防止弁８１が配設されている。なお、内レール８の左側の一部、および、戻り防止弁８１を遊技盤５ではなく取付ベース４に設けてもよい。
【００２１】
遊技機枠３のコーナー部には、クランプ部材９が配設されている（図１１）。このクランプ部材９は、嵌込み凹部３３に設けられて遊技盤５を後方から前方に押圧する押圧部材９１と、回動して遊技盤５を挟みつける回動部材９２とからなる（図１２）。押圧部材９１は、遊技盤５裏面に当接される頭部９３と、頭部９３を弾発するバネ９４とを有する（図１３）。回動部材９２は、軸部９５と、指によって回動される回動片９６と、回動片９６の裏側に設けられた押圧面９７とを有する。なお、本実施形態ではクランプ部材９は、遊技機枠３の右上、右下、左上のコーナー部の計３箇所に設けられているが、左下のコーナー部にも設けられていてもよい。その場合、ヒンジ部４７に前後方向のガタを設けて、支持基部４ごと前後方向の位置決めができるようにすることが望ましい。
【００２２】
以上のように構成された遊技機において、遊技盤５を装着するに際して、先ず支持基部４の差込み溝４２に遊技盤５の左側端を差し込む。これによって、遊技盤５の左側端が支持基部４の側板４３の突部４６に当接されて、遊技盤５の左右方向の位置が決められる。次いで、ヒンジ部４７を中心にして遊技盤５の右側を後方に向って回動させて窓部３１に嵌め込む。これによって、遊技盤５の上端５２が嵌込み凹部３３に嵌め込まれるとともに、遊技盤５の下端５３が突条３５の前半部分の傾斜に沿って上方に押し上げられた後、後半部分の平坦面によって下端５３が位置決めされる。遊技盤５は重量が１０数キログラムあるため、下端５３が位置決めされることによって、遊技盤５の上下方向の位置が固定される。
【００２３】
さらに、回動部材９２を回して押圧部材９１と回動部材９２とによって遊技盤５を締め付ける。バネ９４の弾性力で頭部９３によって遊技盤５の裏面は前方に押され、遊技盤５の前面は押圧面９７で押えられているので、遊技盤５の前面を押圧面９７を基準とした正しい位置にして、がたつくことなく遊技機枠３に装着することができる。
【００２４】
以上のように、遊技盤５を支持基部４に差し込んだうえ後方に回動するだけで遊技機枠３に装着することができるので、遊技盤５の交換に際して機構盤の取り外しや球タンクからの玉抜きを必要とせず、交換作業を簡単に行うことができる。このとき、発射レール６１と外レール７は支持基部４の前面４１の所定位置に固定されているので、遊技盤５の交換によってレール同士の中心位置がずれたりすることは全くない。
【００２５】
さらに、遊技盤５の差込み口４２を上下に対向して配置して短尺としたので、遊技盤５の差込み抵抗を小さくできる。遊技機枠３の下辺３４に突条３５を設けたので、遊技盤５の下端を突条３５によって位置決めすることで上下方向の位置を正しく固定することができる。支持基部４には、側板４３と突部４６とを設けたので、遊技盤５の横方向の位置を位置決めすることができる。差込み溝４２には遊び空間をもうけたので、遊技盤５着脱時の摩擦抵抗を低減できるし、遊技盤５の厚み変動を吸収することができる。さらに、クランプ部材９が、遊技盤５の厚み変動を吸収してがたつくことなく締め付け固定することができる。
【符号の説明】
【００２６】
３  遊技機枠、４  支持基部、５  遊技盤、６  球発射装置、７  外レール、３３  嵌込み凹部、３４  遊技枠の下辺、３５  突条、４２  差込み溝
【図１】
0005802915.tif 000002
【図２】
0005802915.tif 000003
【図３】
0005802915.tif 000004
【図４】
0005802915.tif 000005
【図５】
0005802915.tif 000006
【図６】
0005802915.tif 000007
【図７】
0005802915.tif 000008
【図８】
0005802915.tif 000009
【図９】
0005802915.tif 000010
【図１０】
0005802915.tif 000011
【図１１】
0005802915.tif 000012
【図１２】
0005802915.tif 000013
【図１４】
0005802915.tif 000014
【図１５】
0005802915.tif 000015
【図１３】
0005802915.tif 000016